(57)【要約】      （修正有）【課題】医学面からの健康の維持・増進、病気の治療に関して広範にアドバイスをなし、物心両面から懇切な対策を取り得る健康総合サービスの提供システムを提供する。農産物を安全性の高い食品を製造して、原材料の生産情報の情報を管理し、会員に開示することにより、健康情報とその食品を提供する。【解決手段】運営者を基に健康情報サービスの提供を要望する顧客会員グループと農産物、食品の医学的見地から情報を提供する医学グループと、Ａ：アレルギー症班、Ｂ：糖尿病班、Ｃ：高血圧班、Ｄ：がん予防班、Ｅ：認知症班、Ｆ：更年期症班、Ｇ：睡眠障害班とに班別して、連携を取れるようにして、その情報を農産物の生産、並びに農産物加工をする農業グループ、並びに加工グループからなって、運営者が各グループの健康関連の情報を総合的にまとめて、各グループに健康に関する物品、情報を適切に提供する。【選択図】図１Ａ
2018032362.tif 000002
【特許請求の範囲】
【請求項１】
農産物、及び食品からの健康に関する総合的情報及びサービスの提供をするにおいて、運営者を基に健康情報サービスの提供を要望する顧客会員グループと農産物、食品の医学的見地から情報を提供する医学グループとにおいて、顧客会員グループと医学グループとをＡ：アレルギー症班、Ｂ：糖尿病班、Ｃ：高血圧班、Ｄ：がん予防班、Ｅ：認知症班、Ｆ：更年期症班、Ｇ：睡眠障害班との症状班に班別して、顧客会員グループと医学グループと運営者とで連携を取れるようにして、その情報が農産物の生産、並びに農産物加工をする農業グループ、並びに加工グループに連携伝達できるようになって、運営者が各グループの健康関連の情報を総合的にまとめて、各グループに健康に関する物品、情報を適切に提供するシステムであることを特徴とする農産物、食品からの健康総合サービスの提供システム。
【請求項２】
医療に役立つ農産物、及び食品からの健康に関する総合的情報及びサービスの提供をするために、前記のＡ：アレルギー症班、Ｂ：糖尿病班、Ｃ：高血圧班、Ｄ：がん予防班、Ｅ：認知症班、Ｆ：更年期症班、Ｇ：睡眠障害班に班別された個人、家庭、企業を単位とする前記の会員グループとその会員をまとめて情報等を提供する運営者とから構成し、当該運営者は、これらの班別された会員に対して前記の同様な症状での班別された医学グループから得られた医学情報によって、前記農業グループで生産する農産物、及びその農産物を加工生産する加工グループで製造する食品によって、会員グループの身体に有効な食物の生産、健康加工食品を提供し、並びに医療ないし健康の相談等に関しては、医師、医療従事者、薬剤師、栄養士、研究者の前記医学グループから受けて、運営者が前記農業グループ、及び前記加工グループとを総合的に連携して、情報と物品の提供などを会員に提供することで、会員グループから徴集した会費と、並びに医学グループからの医療紹介費とを、運営者の費用、及び提携先に対する謝礼的料金の支払い、並びに医療情報の提供費、或は健康食品メーカーの加工グループと農業グループ等からの提供物品費に充当するとともに、医学ブループの現状を顧客に紹介することを特徴とする請求項１に記載の農産物、食品からの健康総合サービスの提供システム。
【請求項３】
医療・健康・農業・食料に関してライフ・イノベーションを起こすことを期待している前記の班別された会員グループが運営者と提携して、運営者は前記の班別された医学グループと農業グループ、及び加工グループとの情報を連携して、インターネットにより通じるサーバーを配置し、運営者がサーバーのホストコンピュータにより医療と農産物、食品の関係の健康情報を一次的に検索し、整理・解説して関係グループにインターネットによって提供できるようにしてあることを特徴とする請求項１、又は請求項２に記載の農産物、食品からの健康総合サービスの提供システム。
【請求項４】
医学グループからの前記の班別された医学情報による農業グループが生産した農産物、およびその農産物の生産とその原材料を加工する加工グループの加工食品製品の製造において、農産物を生産した状態と環境と併せて、有効な農産物の原材料入荷時に原材料農産物の食品安全検査を行い、検査結果に合わせて製造工程、加工方法を適切に変更させて、食品検査の基準と医学情報を満足した農産物、およびその加工食品を会員グループに提供することを特徴とする請求項１〜請求項３のいずれかに記載の農産物、食品からの健康総合サービスの提供システム。
【請求項５】
運営者は、前記の班別された会員グループの個々の会員を募集するとともに、医療、農業、健康などに関するセミナーの開催、ビジネス支援、ショップによる安全農産物、食品の販売、健康相談コーナーの開設、メールマガジンの発行・発信、などを運営して、会員の生活の質の向上に寄与して、参加会員は基本的には会員制で会費を納入していただき、前記イベントには無料、有料で提供することを特徴とする請求項１〜請求項４のいずれかに記載の農産物、食品からの健康総合サービスの提供システム。
【請求項６】
前記の班別された医学グループは、医師、医療従事者、薬剤師、栄養士、研究者を主体にして提携して、農産物、食品の生産・加工、並びに会員の健康管理において情報を提供するとともに、前記の班別された医学グループの本来の役目とビジネスを紹介して、ＰＲの場とすることを特徴とする請求項〜請求項５いずれかに記載の農産物、食品からの健康総合サービスの提供システム。
【請求項７】
農業グループにおいては、医学情報からの農産物の原材料入荷時に行われる原材料農産物の食品分析の結果と、原材料生産農地について使用堆肥、堆肥置き場、農業用水、使用農薬、生活排水の流入、畜舎との隣接、廃棄物の有無、焼却場の有無、冠水の状況、幹線道路との隣接等の情報をもとに、原材料生産農地を分類して管理する食品分析を基準にした農産物を原材料として提供する加工グループの食品製造に情報を提供することを特徴とする請求項１〜請求項６の何れかに記載の農産物、食品からの健康総合サービスの提供システム。
【発明の詳細な説明】
【技術分野】
【０００１】この発明は、健康の維持・増進や、病気や心神の治療などについて医学面からの食物を物心両面から援助する健康総合サービスの提供システムに関する。農産物を原材料とする生食用製品の生産において、医学的見知からの原材料生産情報と製造流通情報を生産、保管、管理する健康食品の管理運営に関するものである。
【背景技術】
【０００２】健康を維持し向上するためには、農産物、食品からの食生活の改善、適度な運動、その他の生活習慣の改善が必要であり、また、健康を害したときには、適切な医療を受ける必要がある。従来、このような必要があるときには、人から聞いたり、電話帳で健康サービスにつき調べたり、雑誌や新聞、専門書などを読んだりして情報を得ていた。また、最近では、インターネットにより検索する方法もある。しかし、農産物、食品加工品の情報を正確に得ることは非常に困難なことである。【０００３】健康サービスは、農産物、食品加工品の情報から人の生活の全般に関係してくることであるため、関係する生産業種が極めて広範に及ぶことになるが、これには例えば医師、薬剤師、栄養士、配置薬業者、健康食品メーカー、看護業者（心のケアーに関する場合も含む）からの情報が、農業生産者、食品製造者等を挙げることができる。しかしいずれも健康に関係するサービスが制約される。【０００４】例えば、配置薬業は、各家庭を訪問してその家庭に必要と思われる薬を配置し、使った分だけ後で集金するシステムであるので、これまでに最も身近に健康に携わってきたものと言えるが、医師や薬剤師等の知見をもとに農産物、加工食品への知識との横へのつながりが欠けるために、食べ物として栄養剤成分の使用も必ずしも合理的ではなかった。【０００５】現状、農産物を原材料とする生食製品は、食中毒細菌、悪性ウイルス、薬物を代表とする様々な食品危害による食品事故が発生する危険性を抱えており、製造業者にとって深刻な問題となっている。また発癌物質を含有することも多くの食物に存在されている。【０００６】その原因は、原材料とする農産物が食品有害物質に冒されていることにある。
農産物の生産に使用される土、水、堆肥等は、それ自体及び農地周辺の環境によって食中毒細菌、悪性ウイルス、薬物等に冒されている可能性がある。また、一部の加工食品における原材料である農産物が食品危害に冒されていることにより、製品生産工程で別の原材料及び製品に汚染させている実体もある。【０００７】農産物を原材料とする生食用製品の生産工程では、食品危害への対策として、原材料に一律の殺菌や洗浄を行い、製造された製品のサンプリングによる食品有害物の検査を行っているが、食品の汚染を防止する仕組みはなく、食品事故が発生した場合にも発生原因の究明、責任の追及を行うことができない。
一方、販売市場、消費者の食品に対する安全性の要求が高まるなかで、農産物を原材料とする生食用製品に端を発する食中毒事件が発生するなど、製造業者はその要求に答えきれていない状況である。【０００８】農業生産者等と調整管理者を結ぶネットワークにおいて、農産物購入者から回収された生ゴミ等を発酵させることにより、有機肥料生産者が肥料を生産し、該肥料は農業生産者に販売され、該農業生産者が該肥料を用いて農産物を生産し、該農産物は前記農産物購入者に販売されるリサイクルシステムであって、調整管理者が農業生産者に特定の情報を提供する手段、調整管理者が農産物購入者に特定の情報を提供する手段及び調整管理者が有機肥料生産者に特定の情報を提供する手段を含むことを特徴とする農産物生産支援システムを構築することにより課題を解決する。（特許文献１参照）。【０００９】健康に関する総合的サービスの提供をするために、個人、家庭、企業を単位とする会員からなる会を構成し、当該会は、これらの会員に対する薬の配置、健康食品の無料または割引提供、医療ないし健康の無料相談等に関して、配置薬業者、健康食品メーカー、薬局（店）、医師、介護業者、栄養士、農業生産者等と提携し、会員から徴集した会費を、その提携先に対する契約料金の支払いや、配置薬の限度額の無料利用等に充当することを特徴とする（特許文献２参照）。【００１０】化合物と蛋白質との相互作用を評価するために有用でありかつ医療および他の分野における化合物の発見を目的とするそのような評価の結果として生ずる情報を利用するために有用な方法、システム、データベース、ユーザーインターフェース、ソフトウェア、媒体、およびサービスであり、創薬のための新規標的蛋白質の非常に大きなプール、新規薬物を設計するための新規な方法および治療的な目的のための従前には思いもよらない仮想的に合成された低分子のプールを生成する。本発明は環境に有害な化学物質の代替品、より効果的な農業用化学物質、より健康的な食品添加物などの発見にも応用可能である方法が提案されている（特許文献３参照）。【００１１】原材料入荷時に入荷単位ごとに食品危害検査を行い、検査結果によって原材料を選別し、殺菌消毒工程を変化させたり、製造製品の変更を行う。過去の検査結果と原材料生産農地の情報によって生産農地をクラス分けして管理し、検査結果、原材料の生産情報、製造流通の情報を保管、管理し、食品事故発生時には各工程を遡って原因の究明を行う。本手法の使用を製品パッケージや販売促進物に明記することにより製品の安全性を明示し、保管、管理された各情報を取引先販売店や消費者に開示することにより、製品が衛生的に優位であることが明示されていることが示されている（特許文献４参照）。
【先行技術文献】
【特許文献】
【００１２】
【特許文献１】特開２００２−３２０９５３号公報
【特許文献２】特開２００２−２８８３４９号公報
【特許文献３】特表２００４−５０９４０６号公報
【特許文献４】特開２００３−１３１７２４号公報
【発明の概要】
【発明が解決しようとする課題】
【００１３】この発明は、上記のような実情に鑑みて、健康の維持・増進、病気の治療に関して広範にアドバイスをなし、物心両面から懇切な対策を取り得る健康総合サービスの提供システムを提供することを目的とした。【００１４】農産物を原材料とする生食用製品の製造に使用される原材料の食品危害の度合を検査によって明確にすることにより、適切な食品危害対策を行うことができ、製造工程での汚染を防ぎ、製品からの食品危害の発生をなくし、安全な食品を供給することができる。【００１５】また、食品事故が発生した場合には、当該原材料の食品危害検査結果及び原材料生産農地の情報、製造流通の情報が明確であれば、その原因を遡って究明することができ、責任を追及し、改善を行うことができる。
【課題を解決するための手段】
【００１６】農産物、及び食品からの健康に関する総合的情報及びサービスの提供をするにおいて、運営者を基に健康情報サービスの提供を要望する顧客会員グループと農産物、食品の医学的見地から情報を提供する医学グループとにおいて、顧客会員グループと医学グループとをＡ：アレルギー症班、Ｂ：糖尿病班、Ｃ：高血圧班、Ｄ：がん予防班、Ｅ：認知症班、Ｆ：更年期症班、Ｇ：睡眠障害班との症状班に班別して、顧客会員グループと医学グループと運営者とで連携を取れるようにして、その情報が農産物の生産、並びに農産物加工をする農業グループ、並びに加工グループに連携伝達できるようになって、運営者が各グループの健康関連の情報を総合的にまとめて、各グループに健康に関する物品、情報を適切に提供するシステムである農産物、食品からの健康総合サービスの提供システム。【００１７】医療に役立つ農産物、及び食品からの健康に関する総合的情報及びサービスの提供をするために、前記のＡ：アレルギー症班、Ｂ：糖尿病班、Ｃ：高血圧班、Ｄ：がん予防班、Ｅ：認知症班、Ｆ：更年期症班、Ｇ：睡眠障害班に班別された個人、家庭、企業を単位とする前記の会員グループとその会員をまとめて情報等を提供する運営者とから構成し、当該運営者は、これらの班別された会員に対して前記の同様な症状での班別された医学グループから得られた医学情報によって、前記農業グループで生産する農産物、及びその農産物を加工生産する加工グループで製造する食品によって、会員グループの身体に有効な食物の生産、健康加工食品を提供するともに、医学ブループの現状を顧客に紹介する。【００１８】医療ないし健康の相談等に関しては、医師、医療従事者、薬剤師、栄養士、研究者の前記医学グループから受けて、運営者が前記農業グループ、及び前記加工グループとを総合的に連携して、情報と物品の提供などを会員に提供することで、会員グループから徴集した会費と、並びに医学グループからの医療紹介費とを、運営者の費用、及び提携先に対する謝礼的料金の支払い、並びに医療情報の提供費、或は健康食品メーカーの加工グループと農業グループ等からの提供物品費に充当する。【００１９】医療・健康・農業・食料に関してライフ・イノベーションを起こすことを期待している会員グループが運営者と提携して、運営者は医学グループと農業グループ、及び加工グループと連携して、インターネットにより通じるサーバーを配置し、サーバーのホストコンピュータにより医療と農産物、食品の関係の健康情報を一次的に検索し、整理・解説して関係グループにインターネットによって提供できるようにしてある。【００２０】医学グループからの医学情報による農業グループが生産した農産物、およびその農産物の生産とその原材料を加工する加工グループの加工食品製品の製造において、農産物を生産した状態と環境と併せて、有効な農産物の原材料入荷時に原材料農産物の食品安全検査を行い、検査結果に合わせて製造工程、加工方法を適切に変更させて、食品検査の基準と医学情報を満足した農産物、およびその加工食品を会員グループに提供する。【００２１】運営者は、会員グループの個々の会員を募集するとともに、医療、農業、健康などに関するセミナーの開催、ビジネス支援、ショップによる安全農産物、食品の販売、健康相談コーナーの開設、メールマガジンの発行・発信、などを運営して、会員の生活の質の向上に寄与して、参加会員は基本的には会員制で会費を納入していただき、前記イベントには無料、有料で提供する。【００２２】医学グループは、医師、医療従事者、薬剤師、栄養士、研究者を主体にして提携して、農産物、食品の生産・加工、並びに会員の健康管理において情報を提供するとともに、医学グループの本来の役目とビジネスを紹介して、ＰＲの場とする。【００２３】農業グループにおいては、医学情報からの農産物の原材料入荷時に行われる原材料農産物の食品分析の結果と、原材料生産農地について使用堆肥、堆肥置き場、農業用水、使用農薬、生活排水の流入、畜舎との隣接、廃棄物の有無、焼却場の有無、冠水の状況、幹線道路との隣接等の情報をもとに、原材料生産農地を分類して管理する食品分析を基準にした農産物を原材料として提供する加工グループの食品製造に情報を提供する。【００２４】上記の構成によれば、会費の使い道として、提携先に対する契約料金の支払いがあるため、医学グループからの情報を基に生産した農業グループの農産物への提携先としては安心して懇切に会員グループに食物のサービスをなすことができる。しかも、サービスの申込みが電話や携帯電話、インターネットによりなされるとしても、農産物、加工食品の配置業者の家庭訪問により直接の人的交流がなされ、これによってヘルスネットワークがさらに強固なものとなる。また、他の会員に比して安全食品のサービスを受ける機会が少なかったとしても、農産物、食品配置を提供できる恩恵を受けられるため、不公平感がこれで是正される。特に、会の運営者によるため、会員の意見の取り入れが容易となり、農産物、加工食品のサービスが有効にかつ公平に行き届くように合理的な運営が可能となる。
【発明の効果】
【００２５】以上説明したように、この発明によれば、会員からの主体的会費を運営資源として、食品のヘルス情報ネットワークの構築と、物心両面からのサービスの充実を図るものであって、医学グループの提携先としては安心して懇切に医療、食品の情報を会員にサービスをなすことができ、サービスの申込みが電話や携帯電話、インターネットによりなされるとしても、食品配達業者の家庭訪問により直接の提供がなされ、これによって、健康に関する食品などヘルス情報ネットワークがさらに強固なものとなりサービスが充実される。さらに、会員の意見の取り入れが容易となり、健康に関するサービスが有効にかつ公平に行き届くように民主的且つ合理的な運営が可能となる等の優れた効果がある。【００２６】健康に関する食品、農産物は医学グループの助言によって、食品安全検査を基準にした農産物を原材料とする生食製品の製造工程によって、農産物を原材料とする生食用製品の製造、提供において、原材料で食品安全検査をもとに製造工程の管理を行うという、安全な食品を供給することができる。
医学グループによる情報により班別された会員グープにおける健康管理食品の安全検査を基準にした農産物を原材料とする生食製品を製造管理され、原材料農産物の食品安全に合わせた製造工程にして、適切な食品安全健康対策をとることができる。【００２７】システムを運営する上での具体的なメリットの項目としては以下の通りである。
○運営者
・医療、健康に関するコンテンツによって広告収入
・情報データベースが作れる
・販路の拡大が期待できる
・アンケート調査による新規事業につながる
・新しい医学―農業ビジネスモデルとして将来性が望める
・会員獲得により健康関連食物関連商材販売の可能性が期待できる
・健康農業に参画することで生産・消費・流通など既存になかった新たな生産消費スタイルの創出の可能性がある。
○農家Ｇ  加工Ｇ
・特殊な技術を含んだ健康に関する高性能な製品の開発
・臨床調査研究に参画できる
・特殊農業ビジネスが可能であり、農地を有効に活用できる。
・新規農業・農産物収入の増加が期待できる
・医学分野の交流参入により新しい商品の創出できる。
・特殊な機能性分野で収入も期待でき、販路の拡大の期待。
○会員
安心、安全な食物、農産物を入手できる。
・農産物、食品商品における安心と健康の増進が図れる。
・健康に関する理解が深まる。
・健康情報が入手できる。
○医学Ｇ
・医学的専門情報を広く発信できる
・医療関係情報提供。
・会員への健康の理解を高めることにつながる。
・医療関係の顧客、市場の情報が得られる。
【図面の簡単な説明】
【００２８】
【図１Ａ】農産物、食品からの健康総合サービスの提供システムの概略図
【図１Ｂ】農産物、食品からの健康総合サービスの提供システムにおける医学Ｇと顧客会員の役割図
【図２】農産物、食品からの健康総合サービスの提供システムにおける関係部署の関連状況の図
【図３】農産物、食品からの健康総合サービスの提供システムにおける関係部署のメリットの状況の図
【図４】農産物、食品からの健康総合サービスの提供システムにおける運営者の作業工程の図
【図５】農産物、食品からの健康総合サービスの提供システムにおける関係部署のメリットの図
【図６】農産物、食品からの健康総合サービスの提供システムにおける関係部署の情報の流れの図
【図７】農産物、食品からの健康総合サービスの提供システムにおける関係部署の物、金の流れの図
【図８】農産物、食品からの健康総合サービスの提供システムにおける関係部署の役割状況の概略図
【図９】農産物、食品からの健康総合サービスの提供システムにおける関係部署の情報の状況の概略図
【図１０】農産物、食品からの健康総合サービスの提供システムにおける関係部署の金、物の流れの状況の概略図
【発明を実施するための形態】
【００２９】次に、この発明の実施の形態を図面に基づいて説明する。農産物、及び食品からの健康に関する総合的情報及びサービスの提供をするにおいて、運営者を基に健康情報サービスの提供を要望する会員グループと農産物、食品の医学的見地から情報を提供する医学グループと、その農産物の生産、並びに農産物加工をする農業グループ、並びに加工グループからなって、運営者が各グループの健康関連の情報を総合的にまとめて、各グループに健康に関する物品、情報を適切に提供するシステムである。
【実施例１】
【００３０】図１Ａ，Ｂに示すように農産物、及び食品からの健康に関する総合的情報及びサービスの提供をするにおいて、運営者を基に健康情報サービスの提供を要望する顧客会員グループと農産物、食品の医学的見地から情報を提供する医学グループとにおいて、顧客会員グループと医学グループとをＡ：アレルギー症班、Ｂ：糖尿病班、Ｃ：高血圧班、Ｄ：がん予防班、Ｅ：認知症班、Ｆ：更年期症班、Ｇ：睡眠障害班との症状班に班別して、顧客会員グループと医学グループと運営者とで連携を取れるようにして、その情報が農産物の生産、並びに農産物加工をする農業グループ、並びに加工グループに連携伝達できるようになって、図２，３に示すように運営者が各グループの健康関連の情報を総合的にまとめて、各グループに健康に関する物品、情報を適切に提供するシステムである【００３１】図１Ａに示すように、医療に役立つ農産物、及び食品からの健康に関する総合的情報及びサービスの提供をするために、前記のＡ：アレルギー症班、Ｂ：糖尿病班、Ｃ：高血圧班、Ｄ：がん予防班、Ｅ：認知症班、Ｆ：更年期症班、Ｇ：睡眠障害班に班別された個人、家庭、企業を単位とする前記の会員グループとその会員をまとめて情報等を提供する運営者とから構成する。【００３２】図５，６，７に示すように、当該運営者は、これらの班別された会員に対して前記の同様な症状での班別された医学グループから得られた医学情報によって、前記農業グループで生産する農産物、及びその農産物を加工生産する加工グループで製造する食品によって、会員グループの身体に有効な食物の生産、健康加工食品を提供し、並びに医療ないし健康の相談等に関しては、医師、医療従事者、薬剤師、栄養士、研究者の前記医学グループから受けて、運営者が前記農業グループ、及び前記加工グループとを総合的に連携して、情報と物品の提供などを会員に提供することで、会員グループから徴集した会費と、並びに医学グループからの医療紹介費とを、運営者の費用、及び提携先に対する謝礼的料金の支払い、並びに医療情報の提供費、或は健康食品メーカーの加工グループと農業グループ等からの提供物品費に充当する。【００３３】図５，６，７に示すように、医療・健康・農業・食料に関してライフ・イノベーションを起こすことを期待している前記の班別された会員グループが運営者と提携して、運営者は医学グループと農業グループ、及び加工グループと連携して、インターネットにより通じるサーバーを配置し、サーバーのホストコンピュータにより医療と農産物、食品の関係の健康情報を一次的に検索し、整理・解説して関係グループにインターネットによって提供できるようにした。【００３４】図５，６，７に示すように、医学グループからの前記の班別された医学情報による農業グループが生産した農産物、およびその農産物の生産とその原材料を加工する加工グループの加工食品製品の製造において、農産物を生産した状態と環境と併せて、有効な農産物の原材料入荷時に原材料農産物の食品安全検査を行い、検査結果に合わせて製造工程、加工方法を適切に変更させて、食品検査の基準と医学情報を満足した農産物、およびその加工食品を会員グループに提供した。【００３５】図４に示すように運営者は、会員グループの個々の会員を募集するとともに、医療、農業、健康などに関するセミナーの開催、ビジネス支援、ショップによる安全農産物、食品の販売、健康相談コーナーの開設、メールマガジンの発行・発信、などを運営して、会員の生活の質の向上に寄与して、参加会員は基本的には会員制で会費を納入していただき、前記イベントには無料、有料で提供した。【００３６】図８，９，１０，１１に示すように、前記の班別された医学グループは、医師、医療従事者、薬剤師、栄養士、研究者を主体にして提携して、農産物、食品の生産・加工、並びに会員の健康管理において情報を提供するとともに、医学グループの本来の役目とビジネスを紹介して、ＰＲの場とした。【００３７】農業グループにおいては、医学情報からの農産物の原材料入荷時に行われる原材料農産物の食品分析の結果と、原材料生産農地について使用堆肥、堆肥置き場、農業用水、使用農薬、生活排水の流入、畜舎との隣接、廃棄物の有無、焼却場の有無、冠水の状況、幹線道路との隣接等の情報をもとに、原材料生産農地を分類して管理する食品分析を基準にした農産物を原材料として提供する加工グループの食品製造に情報を提供した。
【実施例２】
【００３８】医療に役立つ農産物、及び食品からの健康に関する総合的情報及びサービスの提供をするために、個人、家庭、企業を単位とする前記の会員グループとその会員をまとめて情報等を提供する運営者とから主体的に構成し、当該運営者は、これらの会員に対して医学グループから得られた医学情報によって、前記農業グループで生産する農産物、及びその農産物を加工生産する加工グループで製造する食品によって、身体に有効な食物の生産、健康加工食品の提供、並びに医療ないし健康の相談等に関して、医師、医療従事者、薬剤師、栄養士、研究者の前記医学グループと前記農業グループ、及び前記加工グループとを運営者が総合的に連携して、情報と物品の提供などを会員に提供し、会員グループから徴集した会費、並びに医学グループからの医療紹介費を、運営費、及びその提携先に対する謝礼的料金の支払い、並びに医療情報の提供、或は健康食品メーカーの加工グループ、農業グループ等の物品の提供に充当する。【００３９】医療・健康・農業・食料に関してライフ・イノベーションを起こすことを期待している会員グループが運営者と提携して、運営者は医学グループと農業グループ、及び加工グループと連携して、インターネットにより通じるサーバーを配置し、サーバーのホストコンピュータにより医療と農産物、食品の関係の健康情報を一次的に検索し、整理・解説して関係グループにインターネットによって提供できるようにした。【００４０】医学グループからの医学情報による農業グループが生産した農産物、およびその農産物の生産とその原材料を加工する加工グループの加工食品製品の製造において、農産物を生産した状態と環境と併せて、有効な農産物の原材料入荷時に原材料農産物の食品安全検査を行い、検査結果に合わせて製造工程、加工方法を適切に変更させて、食品検査の基準と医学情報を満足した農産物、およびその加工食品を会員グループに提供した。【００４１】運営者は、会員グループの個々の会員を募集するとともに、医療、農業、健康などに関するセミナーの開催、ビジネス支援、ショップによる安全農産物、食品の販売、健康相談コーナーの開設、メールマガジンの発行・発信、などを運営して、会員の生活の質の向上に寄与して、参加会員は基本的には会員制で会費を納入していただき、前記イベントには無料、有料で提供した。【００４２】医学グループは、医師、医療従事者、薬剤師、栄養士、研究者を主体にして提携して、農産物、食品の生産・加工、並びに会員の健康管理において情報を提供するとともに、医学グループの本来の役目とビジネスを紹介して、ＰＲの場とする。【００４３】会員がサービスを申し込むには、電話、パソコン、携帯電話を利用する。基本的には、運営者において中継点として相談窓口を設け、そこに会員Ｇの状況や希望等を説明し、それに基づいていずれか医学Ｇ１以上の提携先が紹介される。この相談窓口も提携によっても良く、また、いずれかの提携先、例えば配置薬業者、薬剤師等と兼用した。【００４４】配置薬業者は、前記の配置薬業務を常時行う他に、希望によりスポット的に会員３に必要な薬の配達を行う。また、健康食品メーカー、農業生産者についても同様に健康食品または野菜や穀類を配達する。これらの品々の選定について栄養士や薬剤師またはそのような知識を有する者がアドバイスをする。これにより物心両面のサービスとなる。また、農業生産者等は量の安定と契約料金の収入とから市価よりも安く提供した。【００４５】農業生産者に対しては、自然環境が豊かな土地において、無農薬栽培で有機農法を行う契約を行う。そうすれば、会員には安心して健康な野菜類の供給が行われる。また、会員には、希望に応じて有機農法を行う農地を貸し与えるようにしても良い。いずれにしても、有機農法による野菜は、美味しくてしかも滋養に富んでいるために、会員の健康増進に非常に役立つことになる。【００４６】提携先５に対して会員３がサービスを申し込む場合には、直接出向く以外は、電話、携帯電話、インターネットを利用する。提携先５が医師や栄養士である場合、日中は忙しいので、後で対応できる電子メールによることが望ましい。その場合でも、ホームページに問診欄を設けておき、問診項目をチェックすることにより、それで適切な診断やアドバイスができるようにしておくことが望ましい。しかし、医師や栄養士が専属であるときには、電話による応対が可能にした。【００４７】主催者１は、基本的には会員からなる会（元気計画友の会）である。しかし、例えば、株式会社や有限会社、さらには会員が組合員となる組合が会を主催しても良い。したがって、この発明においては、主催者とは、会そのものを言う場合の他に、それを主催する法人等を指す場合があるものとする。そして、後者の場合、例えば、提携先のいずれか、例えば配置薬業者が会を主催した。【００４８】会員は有効にサービスを受ける前提として、主催者において中継点２を設けておくことが必要である。これは基本的には相談窓口であるが、ホストコンピュータによるサーバーとすることもできる。つまり、会員は、普通の電話回線またはインターネットを通じてホストコンピュータにアクセクし、キーワードの入力またはクリック等で検索すると、目的に合った薬や商品、健康管理等が表示され、さらに、サービスを受けるべき提携先が紹介され、あるいはそのような提携先に電子メールで繋がる等のシステムにした。
【実施例３】
【００４９】会員を募集し、予め作った案に基づいて規約が承認される。これによると、年会費は、月額で、個人会員が５００円、家族会員が１０００円であり、企業会員であると、社員が５名以内、１０名以内、１０〜４９名、５０〜９９名、１００名以上に段階がおかれ、順次、１２００円、１５００円、２０００円、３０００円、５０００円に月額が設定される。そして、各会員にはそれに見合った薬の配置が配置薬業者によってなされる。定期的に訪問する配置薬業者によって薬が取り替えられ、会員は使った分の薬料金の支払いをなすが、年会費の５０パーセントの額まで配置薬を無料で利用できる特典がある。また、健康食品の提供、健康雑誌の提供、医療の無料相談、心のケアーの無料相談、全国の名医紹介、介護の無料相談および介護用品の割引販売・リース等を受けることができた。【００５０】健康食品メーカー、医師、看護業者、薬剤師（薬局、薬店）、栄養士、と提携し、そのうち、医師、栄養士、農業生産者に対して契約料金を支払う。これで、医師、栄養士は無料相談ができ、農業生産者は無農薬栽培の援助がなされ、したがって、会員は割安で米、野菜、果物などの生産物を購入できる。また、これらとの中継点の一つとして相談窓口が設けられ、これには薬剤師が専属についているので、会員がここに電話すると、まず、これにより必要なアドバイスを受けることができ、さらに必要な場合には、医師や栄養士の紹介を受け、あるいは、必要な薬や健康食品等が勧められるので、直接電話したり出向いたりする。また、別個の中継点としてサーバーを設けてあるので、インターネットでそのホストコンピュータにアクセクし、同じように必要な健康情報が得られる。
【符号の説明】
【００５１】１．運営者
２．医学グループ
３．農業グループ
４．加工グループ
５．顧客会員群
６．情報
７．農産物
８．食品
【図１Ａ】
2018032362.tif 000003
【図１Ｂ】
2018032362.tif 000004
【図２】
2018032362.tif 000005
【図３】
2018032362.tif 000006
【図４】
2018032362.tif 000007
【図５】
2018032362.tif 000008
【図６】
2018032362.tif 000009
【図７】
2018032362.tif 000010
【図８】
2018032362.tif 000011
【図９】
2018032362.tif 000012
【図１０】
2018032362.tif 000013